(57)【特許請求の範囲】
【請求項１】
記録媒体を積載する積載トレイと、
電波を遮る板状のシールドを有し、前記積載トレイに積載される記録媒体の上面の少なくとも一部を覆うように配置される可動アンテナと、
前記可動アンテナを前記記録媒体の上面とほぼ平行に保つように支持する支持部と、
前記可動アンテナが備えるアンテナにより前記記録媒体の無線タグと交信するリーダライタと、
を備える記録媒体蓄積装置。
【請求項２】
前記可動アンテナは、
前記アンテナと、
前記アンテナの記録媒体搬送方向上流に前記アンテナから放射される電波を遮るシールドと、を備える請求項１記載の記録媒体蓄積装置。
【請求項３】
前記可動アンテナは、
前記記録媒体と接触するローラをさらに備える請求項２記載の記録媒体蓄積装置。
【請求項４】
前記アンテナは、
端部に終端抵抗を有する伝送線路である請求項３記載の記録媒体蓄積装置。
【請求項５】
記録媒体を積載し、前記記録媒体の増減に応じて傾きが変化する積載トレイと、前記積載トレイに積載される記録媒体の上面の少なくとも一部を覆うように配置される可動アンテナと、前記可動アンテナを前記記録媒体の増減による前記記録媒体の上面の傾きの変化に追従して前記記録媒体の上面との距離を一定に保ったまま変位させるように支持する支持部と、前記可動アンテナが備えるアンテナにより前記記録媒体の無線タグと交信するリーダライタと、を備える記録媒体蓄積装置と、
前記記録媒体を前記記録媒体蓄積装置から１枚ずつ取り出す給紙ユニットと、
前記給紙ユニットが取り出した前記記録媒体に画像形成する画像形成部と、
を備える画像形成装置。
【請求項６】
前記可動アンテナは、
前記アンテナと、
前記アンテナの記録媒体搬送方向上流に前記アンテナから放射される電波を遮るシールドと、を備える請求項５記載の画像形成装置。
【請求項７】
前記可動アンテナは、
前記記録媒体と接触するローラをさらに備える請求項６記載の画像形成装置。
【請求項８】
前記アンテナは、
端部に終端抵抗を有する伝送線路である請求項７記載の画像形成装置。
【請求項９】
前記リーダライタは、
前記記録媒体の無線タグが前記アンテナの下方に位置したときに前記無線タグと交信する請求項８記載の画像形成装置。
【請求項１０】
積載する記録媒体の増減に応じて傾きが変化する積載トレイに、中心よりいずれかの辺縁部に近い位置に無線タグを備える記録媒体を積載し、
前記無線タグと交信する電波を放射するアンテナ及び前記アンテナの前記記録媒体搬送方向上流に配置され、前記アンテナから放射される電波を遮るシールドを備える可動アンテナを記録媒体の上面の傾きに合わせて追従して記録媒体との距離を一定に保ったまま支持部により変位させ、
リーダライタにより前記記録媒体の前記無線タグが前記アンテナの下方に位置したときに前記無線タグと交信する無線タグ記録方法。
【請求項１１】
記録媒体を積載し、前記記録媒体の増減に応じて傾きが変化する積載トレイと、
前記積載トレイに積載される記録媒体の上面の少なくとも一部を覆うように配置される可動アンテナと、
前記可動アンテナを前記記録媒体の増減による前記記録媒体の上面の傾きの変化に追従して前記記録媒体の上面との距離を一定に保ったまま変位させるように支持する支持部と、
前記可動アンテナが備えるアンテナにより前記記録媒体の無線タグと交信するリーダライタと、
を備える記録媒体蓄積装置。
【発明の詳細な説明】
【技術分野】
【０００１】
本発明の実施形態は、記録媒体蓄積装置、画像形成装置、記録媒体及び無線タグ記録方法に関する。
【背景技術】
【０００２】
無線通信可能な情報記憶媒体である無線タグはＲＦＩＤ（Ｒａｄｉｏ  Ｆｒｅｑｕｅｎｃｙ  Ｉｄｅｎｔｉｆｉｃａｔｉｏｎ）とも呼ばれ、読取装置との間で情報を送受信するシステムが実用化されている。
【０００３】
この無線タグは、無線タグ単独で物品に貼付されるほかに、ラベルに内蔵され、このラベルを物品に貼付する場合がある。
【０００４】
このラベルは、画像形成可能であり、予め画像形成されたラベルに無線タグを内蔵するだけでなく、無線タグを内蔵しているラベルに後から画像形成する場合がある。
【０００５】
この無線タグを内蔵するラベルに画像形成する画像形成装置としては、ロール状のラベルに画像形成するものが知られている。
【０００６】
しかし近年では、シート状のラベルに画像形成することへの要請が出てきている。
【０００７】
この点に関し、複数の給紙カセットを有する画像形成装置の、第１の給紙カセットに無線タグを読み書きするリーダライタ及びアンテナを配置し、第２の給紙カセットに無線タグを内蔵するシート状のラベル紙を蓄積し、第２の給紙カセットから取り出したラベル紙に第１の給紙カセットのリーダライタによって無線タグを読み書きし、その後このラベル紙に画像形成する画像形成装置が上市されている。
【０００８】
しかし、この機種はリーダライタを備える第１の給紙カセットが給紙カセット装着部を１段占有してしまうため、スペース的に無駄が多く、及び、普通紙から無線タグを内蔵するラベル紙に切り替えるときに、２つの給紙カセットを入れ替えなければならず、手間がかかる。
【先行技術文献】
【特許文献】
【０００９】
【特許文献１】特許第３９３５１６２号公報
【発明の概要】
【発明が解決しようとする課題】
【００１０】
従って、より少ないスペースによって無線タグを内蔵するシート状のラベル紙に画像形成可能であり、無線タグを読み書き可能な記録媒体蓄積装置、画像形成装置、記録媒体及び無線タグ記録方法が求められている。
【課題を解決するための手段】
【００１１】
上記の課題を解決するために、本発明の一実施形態は、記録媒体を積載し、記録媒体の増減に応じて傾きが変化する積載トレイと、積載トレイに積載される記録媒体の上面の少なくとも一部を覆うように配置される可動アンテナと、可動アンテナを記録媒体の増減による記録媒体の上面の傾きの変化に追従して記録媒体の上面との距離を一定に保ったまま変位させるように支持する支持部と、可動アンテナが備えるアンテナにより記録媒体の無線タグと交信するリーダライタと、を備える記録媒体蓄積装置を提供する。
【００１２】
また、本発明の一実施形態は、記録媒体を積載する積載トレイと、電波を遮る板状のシールドを有し、積載トレイに積載される記録媒体の上面の少なくとも一部を覆うように配置される可動アンテナと、可動アンテナを記録媒体の上面とほぼ平行に保つように支持する支持部と、可動アンテナが備えるアンテナにより記録媒体の無線タグと交信するリーダライタと、を備える記録媒体蓄積装置を提供する。
【図面の簡単な説明】
【００１３】
【図１】画像形成装置の構成を表す図である。
【図２】記録媒体蓄積装置の外観斜視図である。
【図３】記録媒体蓄積装置の外観斜視図である。
【図４】記録媒体蓄積装置の記録媒体満杯時の側面図である。
【図５】記録媒体蓄積装置の記録媒体が少なくなった場合の側面図である。
【図６】可動アンテナの側面断面図である。
【図７】可動アンテナの底面図である。
【図８】記録媒体とアンテナ及びシールドの位置関係を示す図である。
【図９】無線タグとリーダライタとの構成を示すブロック図である。
【図１０】画像形成装置の構成を示すブロック図である。
【図１１】他の実施形態に係る可動アンテナを示す図である。
【図１２】記録媒体の量の変化に伴う可動アンテナの変位を示す図である。
【図１３】記録媒体の量の変化に伴う可動アンテナの変位を示す図である。
【図１４】記録媒体の量の変化に伴う可動アンテナの変位を示す図である。
【図１５】他の実施形態に係る可動アンテナを示す図である。
【図１６】記録媒体の量の変化に伴う可動アンテナの変位を示す図である。
【図１７】記録媒体の量の変化に伴う可動アンテナの変位を示す図である。
【図１８】記録媒体の量の変化に伴う可動アンテナの変位を示す図である。
【発明を実施するための形態】
【００１４】
以下、記録媒体蓄積装置、画像形成装置、記録媒体及び無線タグ記録方法の一実施形態について、図面を用いて詳細に説明する。
【００１５】
本実施形態の記録媒体蓄積装置は、記録媒体を積載する積載トレイと、積載トレイに積載される記録媒体の上面の少なくとも一部を覆うように配置される可動アンテナと、可動アンテナを記録媒体の上面とほぼ平行に保つように支持する支持部と、可動アンテナが備えるアンテナにより記録媒体の無線タグと交信するリーダライタと、を備える。
【００１６】
本実施形態の記録媒体蓄積装置は、記録媒体を積載し、記録媒体の増減に応じて傾きが変化する積載トレイと、積載トレイに積載される記録媒体の上面の少なくとも一部を覆うように配置される可動アンテナと、可動アンテナを記録媒体の増減による記録媒体の上面の傾きの変化に追従して記録媒体の上面との距離を一定に保ったまま変位させるように支持する支持部と、可動アンテナが備えるアンテナにより記録媒体の無線タグと交信するリーダライタと、を備える。
【００１７】
図１は、本実施形態の画像形成装置１の構成を表す図である。図１に示すように、画像形成装置１は、自動原稿送り装置１１と、画像読取部１２と、画像形成部１３と、排出装置１５と、給紙ユニット１６と、記録媒体搬送機構１８と、制御部と、を含む。
【００１８】
自動原稿送り装置１１は、画像形成装置１の本体上部に開閉可能に設置される。自動原稿送り装置１１は、原稿を一枚ずつ給紙トレイから取り出し、排紙トレイまで搬送する原稿搬送機構を備える。
【００１９】
自動原稿送り装置１１は、原稿搬送機能により原稿を一枚ずつ画像読取部１２の原稿読取部に搬送する。また、自動原稿送り装置１１を開けて画像読取部１２の原稿台の上に原稿を載置することも可能である。
【００２０】
画像読取部１２は、原稿に露光する露光ランプと第１の反射ミラーを備えるキャリッジと、このキャリッジの動きに合わせて動く複数の第２の反射ミラーと、レンズブロックと、画像読取センサのＣＣＤ（Charge Coupled Device）と、を備える。
【００２１】
キャリッジは原稿読取部に静止して、あるいは原稿台の下を往復移動して、原稿が反射した露光ランプの光を第１の反射ミラーに反射させる。複数の第２の反射ミラーは第１の反射ミラーの反射光をレンズブロックに反射させる。レンズブロックはこの反射光の倍率を変更し、ＣＣＤに出力する。ＣＣＤは入射光を電気信号に変換して画像信号として画像形成部１３に出力する。
【００２２】
画像形成部１３は、斜めに搬送された記録媒体の幅方向の辺が記録媒体搬送方向に平行になるように記録媒体の向きを補正するレジストローラ１３Ａを備える。
【００２３】
画像形成装置１は、レジストローラ１３Ａによって補正された記録媒体に画像形成部１３によって画像形成する。
【００２４】
画像形成部１３の画像形成方法は問わない。画像形成部１３は、例えば、電子式、インクジェット式などの方式から選択することができる。
【００２５】
電子式の場合、画像形成部１３は、イエローＹ、マゼンダＭ、シアンＣ、及びブラックＫごとに、レーザー照射ユニット１３Ｄと、静電潜像担持体である感光体ドラム１３Ｂと、現像材供給ユニット１３Ｃと、転写部１４と、を備える。
【００２６】
レーザー照射ユニット１３Ｄは画像信号に基づいて感光体ドラム１３Ｂにレーザー光を照射し、感光体ドラム１３Ｂ上に静電潜像を形成する。現像材供給ユニット１３Ｃは現像材を感光体ドラム１３Ｂに供給し、静電潜像から現像材像を形成する。
【００２７】
給紙ユニット１６は、記録媒体を蓄積する着脱可能な複数の記録媒体蓄積装置を備える。
【００２８】
給紙ユニット１６は、給紙カセットから一枚ずつ記録媒体を取り出して用紙搬送機構に引き渡す。用紙搬送機構は記録媒体を転写部１４に搬送する。
【００２９】
転写部１４は、転写ベルト１４Ｂと、転写ローラ１４Ａと、を備える。像担持体としての転写ベルト１４Ｂは、感光体ドラム１３Ｂの現像材像を転写して担持する。転写ローラ１４Ａは電圧を印加して転写ベルト１４Ｂの現像材像を搬送されてきた記録媒体に転写する。
【００３０】
画像形成装置１は、転写部１４の記録媒体搬送方向下流に定着装置１４Ｃを備える。定着装置１４Ｃは、現像材像を加熱及び加圧して記録媒体に定着させる。
【００３１】
画像形成された記録媒体は、排出装置１５に供給され、排出される。
【００３２】
インクジェット式の場合、画像形成部１３は記録媒体にインクを吹き付けるヘッドを備える。
【００３３】
ヘッドは、極性の異なるピエゾ素子が長手方向に貼り付けられ、この貼り付けられたピエゾ素子の組が櫛の歯状に並べられるインク供給室と、インク吐出孔を有し、インク供給室を覆うカバーを備える。画像形成部１３はこのヘッドに電圧を交互に印加することによりインク供給室を変形させ、インクの吸引とインク供給口からの吐出を繰り返す。吐出されたインクは記録媒体に付着し、画像形成がなされる。
【００３４】
図２は、本実施形態の記録媒体蓄積装置３００の外観斜視図である。図２においては、後述する可動アンテナ３１１の図示が省略されている。
【００３５】
図２に示すように、記録媒体蓄積装置３００は、ケーシング３０１と、ケーシングの前面に配置され、取っ手を有する引き出し部３０２と、記録媒体の位置を規制する規制板３０３と、記録媒体を積載する積載トレイ３０５と、積載トレイ３０５を上下に昇降させるトレイリフト３０４と、無線タグと交信し、無線タグを読み書きするリーダライタ１２０と、可動アンテナ３１１と、を備える。
【００３６】
記録媒体蓄積装置３００は、給紙ユニット１６に装着される。記録媒体蓄積装置３００が給紙ユニット１６に装着されると、画像形成装置１はトレイリフト３０４を駆動して積載トレイ３０５を上昇させる。積載トレイ３０５が上昇すると、積載トレイ３０５に積載された記録媒体がピックアップローラを備える給紙装置のセンサをＯＮさせる。このセンサがＯＮになった場合、画像形成装置１は積載トレイ３０５の上昇を停止させる。
【００３７】
従って、記録媒体の多寡にかかわらず積載トレイ３０５に積載された記録媒体の上端面はピックアップローラに接する。画像形成する場合には、画像形成装置１はピックアップローラを駆動させて記録媒体を１枚ずつ取り出す。
【００３８】
図３は、記録媒体蓄積装置３００の外観斜視図である。図３に示すように、記録媒体蓄積装置３００は、積載トレイ３０５に積載される記録媒体の上端面の少なくとも一部を覆うように配置される可動アンテナ３１１と、可動アンテナ３１１に設置され、積載トレイ３０５に積載される記録媒体の上端面と接するローラ３１１Ａと、可動アンテナ３１１を記録媒体の上端面の傾きに合わせて追従して変位させる支持部３１２と、記録媒体の無線タグと交信するリーダライタ１２０と、を備える。
【００３９】
図３においては、可動アンテナ３１１とリーダライタ１２０とを接続するケーブルは図示を省略してある。
【００４０】
可動アンテナ３１１は、支持部３１２の溝部３１２Ｂと昇降可能に嵌合する突起部３１１Ｂを記録媒体搬送方向上流の一端に備える。
【００４１】
従って、可動アンテナ３１１は、自重により積載トレイ３０５に積載される記録媒体の上端面に落下し、可動アンテナ３１１と記録媒体の上端面との距離はローラ３１１Ａの径によって定まる距離に保たれる。
【００４２】
図４は、記録媒体蓄積装置３００の記録媒体満杯時の側面図である。図５は、記録媒体蓄積装置３００の記録媒体が少なくなった場合の側面図である。
【００４３】
図４に示すように、トレイリフト３０４は断面がＬ字形状をなし、一端がケーシング３０１に支点３０４Ａによって回動可能に係止される。
【００４４】
記録媒体が満杯に近い状態にて積載トレイ３０５に積載されている場合、トレイリフト３０４は積載トレイ３０５を持ち上げない。
【００４５】
この場合、可動アンテナ３１１は可動範囲内の上端付近まで上昇し、積載トレイ３０５に積載される記録媒体の上端面の少なくとも一部を覆う。ローラ３１１Ａは記録媒体の上端面と接触する。
【００４６】
図５に示すように、記録媒体が少なくなってくると、画像形成装置１はトレイリフト３０４を駆動させて積載トレイ３０５の一端を上昇させる。
【００４７】
この場合、可動アンテナ３１１は可動範囲内の下端付近に変位する。突起部３１１Ｂは可動アンテナ３１１の一端に位置するため、記録媒体の上端が傾いても可動アンテナ３１１はこの傾きに追従して傾く。
【００４８】
また、可動アンテナ３１１は自重によって記録媒体上端面に落下するため、積載トレイ３０５に積載される記録媒体の上端面の少なくとも一部を覆い続ける。
【００４９】
さらに、可動アンテナ３１１はローラ３１１Ａを有しているため、記録媒体の量にかかわらず、ローラ３１１Ａの径によって定まる距離を記録媒体上端面との間に保ち続ける。
【００５０】
すなわち、可動アンテナ３１１はローラ３１１Ａを有しているため、記録媒体の量にかかわらず、ローラ３１１Ａの径によって定まる距離により記録媒体上端面とほぼ平行な位置関係を保ち続ける。
【００５１】
図６は、可動アンテナ３１１の側面断面図である。図７は、可動アンテナ３１１の底面図である。
【００５２】
図６及び図７に示すように、可動アンテナ３１１は、誘電体によって形成される基板３１１Ａと、金属によって形成され、上面、すなわち記録媒体と対向しない面を覆う上面シールド３１１Ｂと、金属などの導体又は強誘電体によって形成され、下面、すなわち記録媒体に対向する面の記録媒体搬送方向上流側に配置されるシールド３１１Ｃと、下面、すなわち記録媒体に対向する面のシールド３１１Ｃの記録媒体搬送方向下流側に配置されるアンテナ１２１と、を備える。
【００５３】
上面シールド３１１Ｂ及びシールド３１１Ｃは、アンテナ１２１から放射される電波と共振しない形状、大きさをなす。従って、上面シールド３１１Ｂ及びシールド３１１Ｃはアンテナ１２１から放射される電波を遮る。
【００５４】
シールド３１１Ｃはアンテナ１２１を取り囲んでいてもよい。シールド３１１Ｃは、記録媒体が積載トレイ３０５に積載される場合、この記録媒体が有する無線タグを覆う。
【００５５】
従って、アンテナ１２１から電波が照射されても、積載されている記録媒体の無線タグを読み書きすることはない。
【００５６】
アンテナ１２１は、ケーブル３１１Ｅによってリーダライタ１２０から伝送されてきた高周波信号を給電点３１１Ｆによって受け取る。
【００５７】
アンテナ１２１は、電波を放射する範囲が、１枚の記録媒体上の無線タグを読み書きできる範囲であれば狭いほうがよい。他の無線タグを誤って読み書きする可能性が低くなるからである。
【００５８】
アンテナ１２１は、この高周波信号を反射しないインピーダンスを有するマイクロストリップラインなどの伝送線路によって形成され、終端部に終端抵抗３１１Ｇを備える。アンテナ１２１はメアンダ状に形成される。
【００５９】
なお、アンテナ１２１はパッチアンテナなどの平面アンテナを使用することもできる。この場合、終端抵抗３１１Ｇは省略される。
【００６０】
いずれの場合も、アンテナ１２１は記録媒体搬送方向に所定の長さを有する。この所定の長さは、記録媒体の搬送速度と、無線タグへの書き込みに要する時間との兼ね合いによって定まる。
【００６１】
図６及び図７においては、可動アンテナ３１１がシールド３１１Ｃを一体に含む例を示した。しかし、可動アンテナ３１１は、シールド３１１Ｃを別体として有していてもよく、放射する電波が十分弱く、アンテナ１２１の指向性が強い場合にはシールド３１１Ｃを省略することもできる。
【００６２】
図８は、記録媒体Ｐとアンテナ１２１及びシールド３１１Ｃの位置関係を示す図である。図８においては、積載トレイ３０５に積載されている場合の記録媒体Ｐを示す。図８に示すように、記録媒体Ｐは無線タグ１１０を備えるラベル紙ＰＬを有する。
【００６３】
可動アンテナ３１１は、記録媒体搬送方向Ｘ１の上流にシールド３１１Ｃと、シールド３１１Ｃの記録媒体搬送方向Ｘ１の下流にアンテナ１２１と、を備える。
【００６４】
シールド３１１Ｃは記録媒体の無線タグ１１０を覆う。従って、アンテナ１２１から照射される電波によって積載されている記録媒体Ｐの無線タグ１１０が読み書きされることはない。
【００６５】
リーダライタ１２０は、最上部の記録媒体Ｐが記録媒体搬送方向Ｘ１に搬送され、無線タグ１１０がアンテナ１２１の下部に位置したタイミングにて無線タグ１１０が読み書きされる。
【００６６】
記録媒体Ｐは、積載トレイ３０５に積載されているときにシールド３１１Ｃに覆われる位置に無線タグ１１０を備える。
【００６７】
具体的には、記録媒体Ｐは、記録媒体の中心よりいずれかの辺縁部に近い位置に無線タグ１１０を備える。
【００６８】
図９は、無線タグ１１０とリーダライタ１２０との構成を示すブロック図である。図９に示すように、無線タグ１１０は、記憶装置であるメモリ１１１と、メモリ１１１へのデータの読み書きを行う無線タグ制御部１１２と、受信した変調電磁波の整流と安定化を行うことにより電源を供給する電源生成部１１５と、信号を送受信するためのアンテナである無線タグアンテナ１１６と、無線タグ制御部１１２から送出されたデータを変調して無線タグアンテナ１１６に送出する変調部１１３と、受信した変調電磁波を復調して無線タグ制御部１１２へ送出する復調部１１４とを備える。
【００６９】
リーダライタ１２０は、無線タグ１１０との通信を制御し、接続する各ハードウエアを制御するリーダライタ制御部１２６と、リーダライタ制御部１２６から送出された信号を変調する変調部１２２と、変調された信号を増幅してサーキュレータ１３１を介してアンテナ１２１に送出する送信アンプ１２３と、各アンテナからサーキュレータ１３１を介して受信した変調電磁波を増幅する受信アンプ１２４と、受信した変調信号を復調する復調部１２５と、例えばパソコン等の上位装置に接続し、データの授受を行うインターフェース１３０と、を備える。またリーダライタ制御部１２６は、ＣＰＵ１２７及びデータを格納するメモリであるＲＯＭ１２８及びＲＡＭ１２９を備える。
【００７０】
図１０は、画像形成装置１の構成を示すブロック図である。図１０に示すように、画像形成装置１は、画像形成装置１全体を統括制御する演算装置であるメインＣＰＵ２０１と、記憶装置であるＲＯＭ，ＲＡＭ２０２Ａと、画像処理を行う画像処理部２０４と、を備える。
【００７１】
メインＣＰＵ２０１は画像形成系統の各部を制御するプリントＣＰＵ２０５と、画像読み込み系統の各部を制御するスキャンＣＰＵ２０９と、駆動部を制御する駆動コントローラ２１２と、に接続する。
【００７２】
電子式の場合、プリントＣＰＵ２０５は、感光体ドラム１３Ｂに静電潜像を形成するプリントエンジン２０６と、現像材像を形成するプロセスユニット２０７と、を制御する。
【００７３】
スキャンＣＰＵ２０９は、ＣＣＤ２１１を駆動させるＣＣＤ駆動回路２１０を制御する。ＣＣＤ２１１からの信号は画像形成部１３に出力される。
【００７４】
画像形成装置１はさらに、記録媒体蓄積装置３００のリーダライタ１２０とコネクタを介して接続する。
【００７５】
画像形成装置１は、パソコンなどの外部装置から入力された情報に基づいて、リーダライタ１２０を介して記録媒体Ｐの無線タグ１１０を読み書きする。
【００７６】
図１１は、他の実施形態に係る可動アンテナ１１０１を示す図である。図１１においては、可動アンテナ１１０１とリーダライタ１２０とを接続するケーブルは図示を省略してある。
【００７７】
可動アンテナ１１０１のアンテナ１２１とシールド３１１Ｃの構成は可動アンテナ３１１のアンテナ１２１とシールド３１１Ｃの構成と同様である。
【００７８】
可動アンテナ１１０１は、記録媒体搬送方向の後端が規制板３０３に支点１１０２により回動可能に係止される点において、可動アンテナ３１１と異なる。
【００７９】
図１２乃至図１４は、記録媒体の量の変化に伴う可動アンテナ１１０１の変位を示す図である。
【００８０】
図１２乃至図１４に示すように、画像形成装置１は記録媒体Ｐが満杯状態から減るに従って、トレイリフト３０４を駆動させて積載トレイ３０５を上昇させる。積載トレイ３０５は記録媒体搬送方向上流の支点により回動する。
【００８１】
しかし、可動アンテナ１１０１は記録媒体搬送方向下端の支点により規制板３０３に回動可能に係止されるため、記録媒体の上端が傾いても可動アンテナ１１０１はこの傾きに追従して傾く。
【００８２】
また、可動アンテナ１１０１は自重によって記録媒体上端面に落下するため、積載トレイ３０５に積載される記録媒体の上端面の少なくとも一部を覆い続ける。
【００８３】
さらに、可動アンテナ１１０１はローラ１１０６を有しているため、記録媒体の量にかかわらず、ローラ１１０６の径によって定まる距離を記録媒体上端面との間に保ち続ける。
【００８４】
すなわち、可動アンテナ１１０１はローラ１１０６を有しているため、記録媒体の量にかかわらず、ローラ１１０６の径によって定まる距離により記録媒体上端面とほぼ平行な位置関係を保ち続ける。
【００８５】
図１５は、他の実施形態に係る可動アンテナ１５０１を示す図である。図１５においては、可動アンテナ１５０１とリーダライタ１２０とを接続するケーブルは図示を省略してある。
【００８６】
可動アンテナ１５０１のアンテナ１２１とシールド３１１Ｃの構成は可動アンテナ３１１のアンテナ１２１とシールド３１１Ｃの構成と同様である。
【００８７】
可動アンテナ１５０１は、回動可能な支持アーム１５０６によって回動可能に係止される点において、可動アンテナ３１１と異なる。
【００８８】
可動アンテナ１５０１は、２本の指示アーム１５０６によって支持される。指示アームの１５０６のうち一方はケーシング３０１に、他方は指示壁１６０１に支点１５０８により回動可能に一端が支持される。
【００８９】
指示アーム１５０６の他端にはアンテナ１２１及びシールド３１１Ｃが支点１５０７により回動可能に係止される。
【００９０】
図１６乃至図１８は、記録媒体の量の変化に伴う可動アンテナ１５０１の変位を示す図である。
【００９１】
図１６乃至図１８に示すように、画像形成装置１は記録媒体Ｐが満杯状態から減るに従って、トレイリフト３０４を駆動させて積載トレイ３０５を上昇させる。積載トレイ３０５は記録媒体搬送方向上流の支点により回動する。
【００９２】
しかし、可動アンテナ１５０１は回動可能な指示アーム１５０６に回動可能に係止されるため、記録媒体の上端が傾いても可動アンテナ１５０１はこの傾きに追従して傾く。
【００９３】
また、可動アンテナ１５０１は自重によって記録媒体上端面に落下するため、積載トレイ３０５に積載される記録媒体の上端面の少なくとも一部を覆い続ける。
【００９４】
さらに、可動アンテナ１５０１はローラ１５０９を有しているため、記録媒体の量にかかわらず、ローラ１５０９の径によって定まる距離を記録媒体上端面との間に保ち続ける。
【００９５】
すなわち、可動アンテナ３１１はローラ１５０９を有しているため、記録媒体の量にかかわらず、ローラ１５０９の径によって定まる距離により記録媒体上端面とほぼ平行な位置関係を保ち続ける。
【００９６】
以上述べたように、本実施形態の記録媒体蓄積装置３００は、記録媒体を積載する積載トレイ３０５と、積載トレイ３０５に積載される記録媒体の上端面の少なくとも一部を覆うように配置される可動アンテナ３１１と、可動アンテナ３１１に設置され、可動アンテナ３１１を記録媒体の上端面の傾きに合わせて追従して変位させる支持部と、記録媒体の無線タグと交信するリーダライタ１２０と、を備える。
【００９７】
さらに、可動アンテナ３１１は、アンテナ１２１と、アンテナ１２１の記録媒体搬送方向上流にアンテナ１２１から放射される電波を遮るシールド３１１Ｃと、を備える。
【００９８】
従って、一つの記録媒体蓄積装置３００により記録媒体Ｐ上の無線タグ１１０を読み書きできるため、より少ないスペースによって無線タグを内蔵するシート状のラベル紙に画像形成可能であり、無線タグを読み書き可能となるという効果がある。
【００９９】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１００】
１２１：アンテナ
３００：記録媒体蓄積装置
３１１：可動アンテナ
３１１Ｃ：シールド
【図１】
0005639563.tif 000002
【図２】
0005639563.tif 000003
【図３】
0005639563.tif 000004
【図４】
0005639563.tif 000005
【図５】
0005639563.tif 000006
【図６】
0005639563.tif 000007
【図７】
0005639563.tif 000008
【図８】
0005639563.tif 000009
【図９】
0005639563.tif 000010
【図１０】
0005639563.tif 000011
【図１１】
0005639563.tif 000012
【図１２】
0005639563.tif 000013
【図１３】
0005639563.tif 000014
【図１４】
0005639563.tif 000015
【図１５】
0005639563.tif 000016
【図１６】
0005639563.tif 000017
【図１７】
0005639563.tif 000018
【図１８】
0005639563.tif 000019